(57)【要約】      （修正有）【課題】ハードウェア製品の出荷情報と使用情報の製品履歴について明確に記録し、検索と更新に供することができ、評価しやすく、公正性を備えた、製品についての評価が可能な分散化情報構築システム及び分散化された情報構築方法を提供する。【解決手段】分散化情報構築システム１において、製品製造者端末２が製品情報を書き込むと、操作インターフェイスプログラム５が同時に該製品情報を有線、無線または光学方式で情報保存ユニット２１１に送信する。製品情報は、操作インターフェイスプログラム５及び情報認証ユニット２１２の認証を経て情報保存ユニットに送信される。このため、パブリックネットワークプラットフォーム６上には、多種類のハードウェア製品２１の製品情報が保存され、また情報保存ユニット上に同時に同じハードウェア製品２１の最新製品情報を保存したり、ハードウェア製品２１の製品履歴を遡ったりすることができる。【選択図】図２
2019160269.tif 000002
【特許請求の範囲】
【請求項１】
製品についての評価が可能な分散化情報構築システムであって、少なくとも１つの製品製造者端末と、少なくとも１つのデータノードと、少なくとも１つの製品ユーザー端末と、を含み、
該製品製造者端末が少なくとも１つのハードウェア製品を有し、該ハードウェア製品が少なくとも１つの第１時間情報を含む製品情報を備え、該製品製造者端末が操作インターフェイスプログラムを介して該製品情報をパブリックネットワークプラットフォームに送信し、
該データノードが該操作インターフェイスプログラムを介して該製品情報を取得し、該製品情報を製品情報ベースに変換するとともに、該操作インターフェイスプログラムを通じて該パブリックネットワークプラットフォームに保存し、
該製品ユーザー端末が該操作インターフェイスプログラムを介して該パブリックネットワークプラットフォームで該製品情報ベースを読取り、かつ該製品ユーザー端末が、該操作インターフェイスプログラムを通じ、少なくとも１つの第２時間情報を含む製品使用情報を生成して該パブリックネットワークプラットフォームに送信し、該データノードが該製品情報と該製品使用情報を検証して該製品情報ベースを形成し、該パブリックネットワークプラットフォームに保存する、
ことを特徴とする、製品についての評価が可能な分散化情報構築システム。
【請求項２】
前記ハードウェア製品上に情報保存ユニットと、情報認証ユニットが設置され、該情報保存ユニット内に該製品情報ベースが保存され、かつ該製品情報ベースが該操作インターフェイスプログラムを通じて該パブリックネットワークプラットフォームに送信され、該情報保存ユニットがハードウェア回路またはソフトウェアファイルとすることができ、また該情報保存ユニットが該操作インターフェイスプログラムを通じて該パブリックネットワークプラットフォームと相互に通信して認証を行うことができることを特徴とする、請求項１に記載の製品についての評価が可能な分散化情報構築システム。
【請求項３】
前記製品製造者端末が該操作インターフェイスプログラムを介して該製品情報ベースを読取ることができ、かつ該製品製造者端末が製造者キーを通じて該製品情報を書き込み、さらに該操作インターフェイスプログラムを介して修正後の製品情報を該パブリックネットワークプラットフォームに送信するとともに、最新の製品情報でハードウェア製品の情報保存ユニットを更新し、そのうち該製造者キーが第１キーと第２キーを含み、該第１キーが情報読取りモードであり、該第２キーがIDペアリングモードであることを特徴とする、請求項２に記載の製品についての評価が可能な分散化情報構築システム。
【請求項４】
前記製品ユーザー端末が該操作インターフェイスプログラムを通じて該製品情報ベースを読み取ることができ、かつ該製品ユーザー端末がユーザーキーを通じて該製品使用情報を書き込み、さらに該操作インターフェイスプログラムを介して修正後の製品使用情報を該パブリックネットワークプラットフォームに送信し、そのうち該ユーザーキーが第１キーと第２キーを含み、該第１キーが情報読取りモードであり、該第２キーがIDペアリングモードであることを特徴とする、請求項１に記載の製品についての評価が可能な分散化情報構築システム。
【請求項５】
さらに少なくとも１つの製品ビジター端末を含み、そのうち、該製品ビジター端末が該操作インターフェイスプログラムを通じて該製品情報ベースを読み取り、かつ該製品ビジター端末がビジターキーを介して該製品情報ベースを読取ることができ、そのうち該ビジターキーが情報読取りモードであることを特徴とする、請求項１に記載の製品についての評価が可能な分散化情報構築システム。
【請求項６】
製品についての評価が可能な分散化された情報構築方法であって、
少なくとも１つの製品製造者端末が操作インターフェイスプログラムを介して少なくとも１つのハードウェア製品の製品情報と該製品情報の第１時間情報をパブリックネットワークプラットフォームに送信する工程と、
少なくとも１つのデータノードが該製品情報を検証し、少なくとも１つの製品情報ベースを形成して該パブリックネットワークプラットフォームに保存する工程と、
少なくとも１つの製品ユーザー端末が該操作インターフェイスプログラムを介して該パブリックネットワークプラットフォームで該製品情報ベースを取得し、かつ該製品ユーザー端末が、該操作インターフェイスプログラムを通じて製品使用情報と該製品情報の第１時間情報を生成するとともに、該パブリックネットワークプラットフォームに送信する工程と、
該データノードが該製品情報と該製品使用情報を検証し、該製品情報ベースを形成して該パブリックネットワークプラットフォームに保存する工程と、
該製品製造者端末と該製品ユーザー端末が、該パブリックネットワークプラットフォームを介して該ハードウェア製品の出荷情報及び使用情報を把握する工程と、
を含むことを特徴とする、製品についての評価が可能な分散化された情報構築方法。
【請求項７】
前記ハードウェア製品上に情報保存ユニットと、情報認証ユニットが設置され、該情報保存ユニット内に該製品情報ベースが保存され、かつ該製品情報ベースが該操作インターフェイスプログラムを通じて該パブリックネットワークプラットフォームに送信され、該情報保存ユニットがハードウェア回路またはソフトウェアファイルとすることができることを特徴とする、請求項６に記載の製品についての評価が可能な分散化された情報構築方法。
【請求項８】
前記製品製造者端末が該操作インターフェイスプログラムを通じて該製品情報ベースを読み取ることができ、かつ該製品製造者端末が製造者キーを通じて該製品情報を書き込み、さらに該操作インターフェイスプログラムを介して書き込み後の製品情報を該パブリックネットワークプラットフォームに送信し、そのうち該製造者キーが第１キーと第２キーを含み、該第１キーが情報読取りモードであり、該第２キーがIDペアリングモードであることを特徴とする、請求項６に記載の製品についての評価が可能な分散化された情報構築方法。
【請求項９】
前記製品ユーザー端末が該操作インターフェイスプログラムを通じて該製品情報ベースを読み取ることができ、かつ該製品ユーザー端末がユーザーキーを通じて該製品使用情報を書き込み、さらに該操作インターフェイスプログラムを介して書き込み後の製品使用情報を該パブリックネットワークプラットフォームに送信し、そのうち該ユーザーキーが第１キーと第２キーを含み、該第１キーが情報読取りモードであり、該第２キーがIDペアリングモードであることを特徴とする、請求項６に記載の製品についての評価が可能な分散化された情報構築方法。
【請求項１０】
さらに、少なくとも１つの製品ビジター端末が該操作インターフェイスプログラムを通じて該製品情報ベースを取得する工程を含むことを特徴とする、請求項６に記載の製品についての評価が可能な分散化された情報構築方法。
【請求項１１】
前記製品ビジター端末がビジターキーを介して該製品情報ベースを読取り、そのうち該ビジターキーが情報読取りモードであることを特徴とする、請求項１０に記載の製品についての評価が可能な分散化された情報構築方法。
【請求項１２】
さらに、別の製品ユーザー端末が該操作インターフェイスプログラムを通じて該パブリックネットワークプラットフォームで該製品情報ベースを取得し、かつ該製品ユーザー端末が、該操作インターフェイスプログラムを通じて製品使用情報と該製品情報の第１時間情報を生成するとともに、該パブリックネットワークプラットフォームに送信する工程を含むことを特徴とする、請求項１０に記載の製品についての評価が可能な分散化された情報構築方法。
【発明の詳細な説明】
【技術分野】
【０００１】
本発明はハードウェア製品の出荷情報と使用情報の製品履歴について明確に記録し、検索と更新に供することができ、評価しやすく、公正性を備えた、製品についての評価が可能な分散化情報構築システム及び分散化された情報構築方法に関する。
【背景技術】
【０００２】
一般に各ハードウェア製品は工場からの出荷後、いずれも、例えばメーカー名、製品名、製品型番、出荷日、保証期間、試験データ、生産地等関連の製品情報といった、製品自体に関する出荷情報を備えており、これらの製品情報はほとんどが製品説明書に記載されている。一方消費者が該ハードウェア製品を購入するとき、店員の紹介または外側の包装あるいはインターネット上の紹介からのみ該ハードウェア製品の簡略な紹介を入手するしかなく、完全な情報を真に明確に知ることはできないため、消費者にとって保障がなく、また修理されたハードウェア製品を購入してしまう可能性もあり、さらには同じ製品情報の違法なコピー製品を購入してしまうことさえあり得る。また消費者がハードウェア製品を購入した後も、該ハードウェア製品上からより明確な製品履歴を知ることができず、該消費者が該ハードウェア製品を使用した後、該ハードウェア製品が損耗性の高い使用を経ていたり、製造元による修理を経ていたりする可能性もあるが、その使用過程や修理履歴は非公開情報であり、さらに該消費者が該ハードウェア製品を販売したいとき、その後続で購入する消費者はより一層該ハードウェア製品の使用過程や修理履歴を知ることができないため、多くの消費上の係争が生まれる。現在市場には製品履歴を表示する数多くの方法があるが、最も主要な方法は、製造元がデータを統合して公開することである。しかしながら、製造元のみが登録または掲載する方法は多くの問題がある。まずこれは一方的な製品データの統合であり、その統合したデータは公正性が高いとは言えない。またネットワーク技術の発展に伴い、単一ホストで大量のファイルとデータベースの負荷と処理を担うことができなくなっている。これまでは絶えずハードウェア規格を向上したり、さらには複数台のホストを接続する方法で演算処理能力を高めたりしてきたが、中央データベースに障害が発生（ｆａｉｌｕｒｅ）すると、全体が動作できなくなる。別途ディレクトリ管理を利用した方法が提示されており、これはまずインデックス検索を実行した後異なるホストのデータベースに進入し、ファイルにアクセスする方法であるが、ディレクトリ管理システムをコアホストに保存するため、コアホストの障害発生時に検索を実行できなくなるリスクがやはり存在する。
【０００３】
このため、上述の従来品の問題と欠点をどのように解決するかが、本発明の発明人とこの産業に従事する関連企業が改善を研究する方向性となっている。
【発明の概要】
【発明が解決しようとする課題】
【０００４】
上述の問題を効果的に解決するため、本発明の主な目的は、ハードウェア製品の出荷情報と使用情報の製品履歴について明確に記録し、検索と更新に供することができ、評価しやすく、公正性を備えた、製品についての評価が可能な分散化情報構築システム及び分散化された情報構築方法を提供することにある。
【課題を解決するための手段】
【０００５】
上述の目的を達するため、本発明の提供する製品についての評価が可能な分散化情報構築システムは、該分散化情報構築システムが、少なくとも１つの製品製造者端末と、少なくとも１つのデータノードと、少なくとも１つの製品ユーザー端末を含み、そのうち、製品製造者端末の製品製造者が少なくとも１つのハードウェア製品を生産し、該製品製造者がその生産するハードウェア製品についての製品情報を製品製造者端末に提供し、該製品情報が少なくとも第１時間情報を含み、かつ該製品製造者端末が操作インターフェイスプログラムを介して該製品情報をパブリックネットワークプラットフォームに送信し、該データノードが該操作インターフェイスプログラムを介して該パブリックネットワークプラットフォーム上で該製品情報を取得し、かつ該データノードが取得した該製品情報を製品情報ベースに変換して、該製品情報ベースを該操作インターフェイスプログラムにより該パブリックネットワークプラットフォームに保存し、該製品ユーザー端末４が該操作インターフェイスプログラムを介して該パブリックネットワークプラットフォーム上で該製品情報ベースを読取り、かつ製品ユーザー端末４の製品ユーザーが該ハードウェア製品を使用した後、製品ユーザー端末４が、該操作インターフェイスプログラムを介して製品使用情報を生成でき、該製品使用情報が少なくとも第２時間情報を含み、かつ該製品ユーザー端末が該製品使用情報を該パブリックネットワークプラットフォームに送信し、かつ該パブリックネットワークプラットフォーム上に該製品使用情報があるとき、該データノードが該製品情報と該製品使用情報を検証して該製品情報ベースを形成し、かつ該パブリックネットワークプラットフォームに保存することにより、該ハードウェア製品の出荷情報と使用情報の製品履歴を該パブリックネットワークプラットフォームに明確に記録することができ、さらに該データノードがその出荷情報と使用情報を検証し、該パブリックネットワークプラットフォームの製品情報ベースを評価しやすくするとともに、分散化された分散式演算及び認証、データの一方的な変更不可という特性を通じ、製品取引時に取引者に公平な評価基準を提供する。
【０００６】
本発明の提供する製品についての評価が可能な分散化された情報構築方法は、少なくとも１つの製品製造者端末が操作インターフェイスプログラムを介して少なくとも１つのハードウェア製品の製品情報と該製品情報の第１時間情報をパブリックネットワークプラットフォームに送信する工程と、少なくとも１つのデータノードが該製品情報を検証し、少なくとも１つの製品情報ベースを形成して該パブリックネットワークプラットフォームに保存する工程と、少なくとも１つの製品ユーザー端末が該操作インターフェイスプログラムを介して該パブリックネットワークプラットフォームで該製品情報ベースを取得し、かつ製品ユーザーが該ハードウェア製品を使用した後、製品ユーザー端末４が、該操作インターフェイスプログラムを介して製品使用情報と該製品情報の第１時間情報を生成し、該パブリックネットワークプラットフォームに送信する工程と、該データノードが該製品情報と該製品使用情報を検証し、該製品情報ベースを形成して該パブリックネットワークプラットフォームに保存する工程と、を含み、該製品製造者と該製品ユーザーが該パブリックネットワークプラットフォームを通じて該ハードウェア製品の出荷情報及び使用情報を知ることができ、これにより、該ハードウェア製品の出荷情報と使用情報の製品履歴を該パブリックネットワークプラットフォームに明確に記録し、該データノードを通じてその出荷情報と使用情報を検証し、該パブリックネットワークプラットフォームの製品情報ベースを評価しやすくするとともに、分散化された分散式演算及び認証、データの一方的な変更不可という特性を通じ、製品取引時に取引者に公平な評価基準を提供する。
【図面の簡単な説明】
【０００７】
【図１】本発明の分散化情報構築システムの概略図である。
【図２】本発明の分散化情報構築システムのブロック図である。
【図３】本発明の分散化された情報構築方法のフローチャート１である。
【図４】本発明の分散化された情報構築方法のフローチャート２である。
【発明を実施するための形態】
【０００８】
図１と図２に本発明の分散化情報構築システム１の概略図とブロック図を示す。これらの図からはっきりと分かるように、そのうち該分散化情報構築システム１は、少なくとも１つの製品製造者端末２と、少なくとも１つのデータノード３と、少なくとも１つの製品ユーザー端末４を含む。そのうち、製品製造者が少なくとも１つのハードウェア製品２１を生産し、かつ該製品製造者端末２が該ハードウェア製品２１についての製品情報を生成し、該製品情報が、メーカー名、製品名、製品型番、製品ID、保証期間、試験データ、生産地等の関連製品情報を含むことができ、かつ該製品情報が第１時間情報を含み、該第１時間情報が製品情報をパブリックネットワークプラットフォーム６に書き込んだ時間である。また該ハードウェア製品２１上に情報保存ユニット２１１と、情報認証ユニット２１２が設置される。該製品製造者端末２のコンピューター設備に操作インターフェイスプログラム５がインストールされ、かつ該製品製造者端末２が該操作インターフェイスプログラム５を介して該製品情報をパブリックネットワークプラットフォーム６に送信する。該製品製造者端末２は製造者キー２２を通じて該製品情報を該パブリックネットワークプラットフォーム６に書き込み、そのうち該製造者キー２２は製造者に属する第１キーと第２キーを含み、該第１キーは情報読取りモードであり、該第２キーはIDペアリングモードである。該製品製造者端末２が該製品情報を書き込むと、該操作インターフェイスプログラム５が同時に該製品情報を有線、無線または光学方式で該情報保存ユニットに送信する。該情報保存ユニットはハードウェア回路またはソフトウェアファイルとすることができ、情報保存ユニットに送信する前に該情報認証ユニット２１２の認証を通過する必要がある。該製品情報は該操作インターフェイスプログラム５及び情報認証ユニット２１２の認証を経て該情報保存ユニットに送信される。このため、該パブリックネットワークプラットフォーム６上には多種類のハードウェア製品２１の製品情報が保存され、また該情報保存ユニット上に同時に同じ該ハードウェア製品２１の最新製品情報を保存したり、該ハードウェア製品２１の製品履歴を遡ったりすることができる。
【０００９】
このとき、該データノード３も同様にコンピューター設備に該操作インターフェイスプログラム５がインストールされており、かつ該データノード３は該操作インターフェイスプログラム５を介して該パブリックネットワークプラットフォーム６上の製品情報を取得し、取得した製品情報を検証して、誤りがないことが検証された製品情報を製品情報ベースに変換し、操作インターフェイスプログラム５から該パブリックネットワークプラットフォーム６に保存することができる。
【００１０】
また、該製品ユーザーが該ハードウェア製品２１を購入したとき、該製品ユーザー端末４は、そのコンピューター設備内の該操作インターフェイスプログラム５をインストールし、かつ該製品ユーザー端末４は該操作インターフェイスプログラム５を介して該パブリックネットワークプラットフォーム６上で購入したハードウェア製品２１が属する製品情報ベースを読取り、該製品情報ベースから該ハードウェア製品２１の製品情報を知ることができる。かつ該製品ユーザー端末４はユーザーに属するユーザーキー４１で該製品情報ベースを読取り、そのうち該ユーザーキー４１はユーザーに属する第１キーと第２キーを含み、該第１キーは情報読取りモードであり、該第２キーはIDペアリングモードである。また、該製品ユーザーは該ハードウェア設備を使用した後、製品ユーザー端末４は、該ユーザーキー４１と該操作インターフェイスプログラム５を介して製品使用情報を生成することができ、そのうち、該製品使用情報は、製品使用状況、製品修理状況等の関連製品使用情報を含むことができ、かつ該製品使用情報はさらに第２時間情報を備え、該第２時間情報は製品使用情報をパブリックネットワークプラットフォーム６に書き込んだ時間である。該製品ユーザー端末４は該操作インターフェイスプログラム５を通じ、かつユーザーキーを組み合わせて使用して、該製品使用情報をパブリックネットワークプラットフォーム６に書き込み、該製品ユーザー端末４が該製品使用情報を書き込むと、該操作インターフェイスプログラム５が同時に該製品情報を有線、無線または光学方式で該情報保存ユニットに伝送する。情報保存ユニットに伝送する前に、まず該情報認証ユニット２１２の認証を経る必要があり、認証を経た後該製品使用情報を該情報保存ユニットに伝送することができる。このため、該パブリックネットワークプラットフォーム６上には多種類のハードウェア製品２１の製品使用情報が保存される。また、該情報保存ユニット上には同時に該ハードウェア製品２１の最新の製品使用情報が保存される。
【００１１】
このとき、該データノード３は該操作インターフェイスプログラム５を介して該パブリックネットワークプラットフォーム６上の製品情報ベースと製品使用情報を取得することができ、かつ取得した製品情報ベースと製品使用情報を検証し、誤りがないことが検証された製品情報ベースと製品使用情報を同一の製品情報ベースに変換して、操作インターフェイスプログラム５により該パブリックネットワークプラットフォーム６に保存する。そのうち、該パブリックネットワークプラットフォーム６上の製品情報ベースは該製品製造者端末２の読取りと書き込みのほか、製品ユーザー端末４も該製品情報ベースに対して読取りと書き込みを行うことができ、製品製造者端末２と製品ユーザー端末４が書き込んだデータはいずれも該データノード３により検証され、パブリックネットワークプラットフォーム６の製品情報ベースを評価しやすくするとともに、分散化された分散式演算及び認証、データの一方的な変更不可という特性を通じ、製品取引時に取引者に公平な評価基準を提供する。
【００１２】
該パブリックネットワークプラットフォーム６が該製品情報ベースを有するとき、該製品情報ベースはさらに少なくとも１つの製品ビジター端末７により読み取ることができる。そのうち、該製品ビジター端末７のコンピューター設備には該操作インターフェイスプログラム５がインストールされており、製品ビジター端末７は該操作インターフェイスプログラム５を通じて該製品情報ベースを読み取ることができる。そのうち、該製品ビジター端末７はビジターキー７１を介して該製品情報ベースを読取り、該ビジターキー７１はデータ読取りモジュールであり、ビジターキー７１はデータ読取りの権限しかない。製品ビジター端末７の製品ビジターは該製品情報ベースから該ハードウェア設備の製品情報と製品使用情報を知ることができ、かつ製品情報と製品使用情報は該第１時間情報と第２時間情報を含み、製品ビジターは該ハードウェア製品２１の製品履歴をはっきりと知ることができる。かつ製品情報ベースは分散化された分散式演算後の結果であり、製品情報ベース内のデータは評価しやすく、公正性を備え、製品製造者、製品ユーザー、製品ビジターが正確なデータを明確に知ることができ、消費に関連する係争の発生を回避することができる。
【００１３】
またそのうち、該製品ビジター端末７が該製品情報ベースを読取り、かつ製品ビジターが該ハードウェア製品２１を購入して使用した後、該製品ビジターは製品ユーザーとなり、該製品ユーザー端末４は該ユーザーキー４１と該操作インターフェイスプログラム５を通じて製品使用情報を生成することができる。そのうち、該製品使用情報は、製品使用状況、製品修理状況等の関連製品使用情報を含むことができ、かつ製品使用情報を書き込む方法は該ハードウェア製品２１原有の製品使用情報に新しい製品使用情報を追加するもので、原有の製品使用情報と製品情報を変更することはできない。また該製品ユーザー端末４が該新しい製品使用情報を書き込むと、該操作インターフェイスプログラム５が同時に該製品情報を有線、無線または光学方式で該情報保存ユニットに伝送する。かつ情報保存ユニットに伝送する前に先に該情報認証ユニット２１２の認証を経る必要があり、認証を経た後該製品使用情報を該情報保存ユニットに伝送することができる。また、該ハードウェア製品２１が製品製造者による修理を経た場合、該製品製造者端末２は該製造者キー２２と該操作インターフェイスプログラム５を介して製品情報を生成することができる。その製品情報を書き込む方法は該ハードウェア製品２１の最新の製品情報を書き込み、またそのうち製品情報と製品使用情報は同時に該第１時間情報と第２時間情報を備え、その書き込み変更の時間点をはっきりと表示するとともに、製品情報ベースからすべての過去の記録を検索できる。その第１時間情報と第２時間情報はＧＰＳまたはＮＴＰサーバーにより生成されるため、第１時間情報と第２時間情報の時間点は明確かつ正確である。
【００１４】
該データノード３は該操作インターフェイスプログラム５を介して該パブリックネットワークプラットフォーム６上の製品情報ベース及び製品使用情報を取得でき、取得した製品情報と製品使用情報を検証し、誤りがないことが検証された製品情報ベースと製品使用情報を同一の製品情報ベースに変換して、操作インターフェイスプログラム５により該パブリックネットワークプラットフォーム６と情報保存ユニットに保存し、パブリックネットワークプラットフォーム６の製品情報ベースを評価しやすくするとともに、分散化された分散式演算及び認証、データの一方的な変更不可という特性を通じ、ハードウェア製品２１の公平な取引を可能にする。同様に類推し、該ハードウェア製品２１が再び別の製品ユーザーにより購入されて使用された後、書き込まれた製品使用情報は元の製品使用情報を継続して更新し、かつ第３時間情報を組み合わせて表される。または、製品製造者による修理が行われた場合、その製品情報も同時に元の製品情報を継続して更新し、かつ第４時間情報を組み合わせて表示される。データノード３は、該ハードウェア製品２１が廃止されるまで、新しい製品情報と製品使用情報を継続して取得し、検証して製品情報ベースに変換する。新しい製品情報と製品使用情報が継続して増加すると、その時間情報もＧＰＳまたはＮＴＰサーバーに伴って生成される。また、そのうち該製品情報及び製品使用情報の検証方法はブロックチェーン技術を用いるが、これに限らない。これにより、分散化された分散式演算及び認証、データの一方的な変更不可という特性を通じ、パブリックネットワークプラットフォームの製品情報ベースに信頼性と公平性を具備させ、一般的な売買の自由な心証による取引形態と比較して、検証済みの製品情報ベースは実際の製品価値により合致しており、製品取引において取引者に公平な評価基準を提供することができる。
【００１５】
前述の図と図３に示す本発明の分散化された情報構築方法のフローチャート１を同時に参照する。これらの図からはっきりと分かるように、該分散化された情報構築方法は、次の工程を含む。
【００１６】
工程Ｓ１１：少なくとも１つの製品製造者端末２が操作インターフェイスプログラムを介して少なくとも１つのハードウェア製品の製品情報と該製品情報の第１時間情報をパブリックネットワークプラットフォームに送信する。そのうち、製品製造者は該ハードウェア製品２１を生産し、かつ該製品製造者端末２が該ハードウェア製品２１についての製品情報を生成し、該製品情報が、メーカー名、製品名、製品型番、製品ID、保証期間、試験データ、生産地等の関連製品情報を含むことができ、かつ該製品情報がさらに該第１時間情報を含み、該第１時間データが製品情報をパブリックネットワークプラットフォーム６書き込んだ時間であり、かつその時間がＧＰＳまたはＮＴＰサーバーで判定かつ表示される。また該ハードウェア製品２１上に該情報保存ユニット２１１と該情報認証ユニット２１２が設置され、該製品製造者端末２のコンピューター設備に操作インターフェイスプログラム５がインストールされ、かつ該製品製造者端末２が該操作インターフェイスプログラム５を介して該製品情報を該パブリックネットワークプラットフォーム６に送信する。該製品製造者端末２は製造者キー２２を通じて該製品情報を該パブリックネットワークプラットフォーム６に書き込み、そのうち、該製造者キー２２は製造者に属する第１キーと第２キーを含み、該第１キーは情報読取りモードであり、該第２キーはIDペアリングモードである。該製品製造者端末２が該製品情報を書き込むと、該操作インターフェイスプログラム５が同時に該製品情報を有線、無線または光学方式で該情報保存ユニットに送信する。該情報保存ユニットはハードウェア回路またはソフトウェアファイルとすることができ、情報保存ユニットに送信する前に該情報認証ユニット２１２の認証を通過する必要があり、認証を経た該製品情報が該情報保存ユニットに送信される。このため該パブリックネットワークプラットフォーム６上には多種類のハードウェア製品２１の製品情報が保存され、また該情報保存ユニット上に同時に該ハードウェア製品２１の最新製品情報が保存される。
【００１７】
工程Ｓ１２：少なくとも１つのデータノードが該製品情報を検証して少なくとも１つの製品情報ベースを形成し、かつ該パブリックネットワークプラットフォームに保存する。該データノード３も同様にコンピューター設備に該操作インターフェイスプログラム５がインストールされており、かつ該データノード３は該操作インターフェイスプログラム５を介して該パブリックネットワークプラットフォーム６上の製品情報を取得し、取得した製品情報を検証して、誤りがないことが検証された製品情報を製品情報ベースに変換し、操作インターフェイスプログラム５から該パブリックネットワークプラットフォーム６に保存することができる。
【００１８】
工程Ｓ１３：少なくとも１つの製品ユーザー端末が該操作インターフェイスプログラムを介してパブリックネットワークプラットフォームで該製品情報ベースを取得し、かつ該製品ユーザーが該ハードウェア製品を使用して、製品ユーザー端末４が該操作インターフェイスプログラムを通じ製品使用情報を生成するとともに、該製品情報の第１時間情報を該パブリックネットワークプラットフォームに送信することができる。また、該製品ユーザーが該ハードウェア製品２１を購入したとき、該製品ユーザー端末４はそのコンピューター設備内に該操作インターフェイスプログラム５をインストールし、かつ該製品ユーザー端末４は該操作インターフェイスプログラム５を介して該パブリックネットワークプラットフォーム６上で購入したハードウェア製品２１が属する製品情報ベースを読取り、該製品情報ベースから該ハードウェア製品２１の製品情報を知ることができる。かつ該製品ユーザー端末４はユーザーに属するユーザーキー４１で該製品情報ベースを読取り、そのうち該ユーザーキー４１はユーザーに属する第１キーと第２キーを含み、該第１キーは情報読取りモードであり、該第２キーはIDペアリングモードである。また、該製品ユーザーは該ハードウェア設備を使用した後、製品ユーザー端末４が該ユーザーキー４１と該操作インターフェイスプログラム５を介して製品使用情報を生成することができ、そのうち、該製品使用情報は、製品使用状況、製品修理状況等の関連製品使用情報を含むことができ、かつ該製品使用情報はさらに第２時間情報を備え、該第２時間情報は製品使用情報をパブリックネットワークプラットフォーム６に書き込んだ時間である。該製品ユーザー端末４は該操作インターフェイスプログラム５を通じ、かつユーザーキーを組み合わせて使用して、該製品使用情報をパブリックネットワークプラットフォーム６に書き込み、該製品ユーザー端末４が該製品使用情報を書き込むと、該操作インターフェイスプログラム５が同時に該製品情報を有線、無線または光学方式で該情報保存ユニットに伝送する。情報保存ユニットに伝送する前に、まず該情報認証ユニット２１２の認証を経る必要があり、認証を経た後該製品使用情報を該情報保存ユニットに伝送することができる。このため、該パブリックネットワークプラットフォーム６上には多種類のハードウェア製品２１の製品情報が保存され、また該情報保存ユニット上に同時に同じ該ハードウェア製品２１の最新製品情報を保存したり、該ハードウェア製品２１の製品履歴を遡ったりすることができる。
【００１９】
工程Ｓ１４：該データノードが該製品情報と該製品使用情報を検証して該製品情報ベースを形成し、かつ該パブリックネットワークプラットフォームに保存する。該データノード３は該操作インターフェイスプログラム５を介して該パブリックネットワークプラットフォーム６上の製品情報ベースと製品使用情報を取得でき、かつ取得した製品情報ベースと製品使用情報を検証し、誤りがないことが検証された製品情報ベースと製品使用情報を同一の製品情報ベースに変換し、操作インターフェイスプログラム５を通じて該パブリックネットワークプラットフォーム６に保存する。
【００２０】
工程Ｓ１５：製品製造者と製品ユーザーは該パブリックネットワークプラットフォームを通じて該ハードウェア製品の出荷情報と使用情報を知ることができる。そのうち、該パブリックネットワークプラットフォーム６上の製品情報ベースは該製品製造者２の読取りと書き込みのほか、製品ユーザー端末４も該製品情報ベースに対して読取りと書き込みを行うことができ、製品製造者端末２と製品ユーザー端末４が書き込んだデータはいずれも該データノード３により検証され、製品製造者と製品ユーザーが該パブリックネットワークプラットフォーム６から該ハードウェア製品２１の出荷情報と使用情報を知ることができるようにし、かつパブリックネットワークプラットフォーム６上の製品情報ベースを評価しやすくするとともに、分散化された分散式演算及び認証、データの一方的な変更不可という特性を通じ、パブリックネットワークプラットフォームの製品情報ベースに信頼性と公平性を具備させ、一般的な売買の自由な心証による取引形態と比較して、検証済みの製品情報ベースは実際の製品価値により合致しており、製品取引において取引者に公平な評価基準を提供することができる。
【００２１】
前述の図と図に示す本発明の分散化された情報構築方法のフローチャート２を同時に参照する。これらの図からはっきりと分かるように、該分散化された情報構築方法はさらに、次の工程を含む。
【００２２】
工程Ｓ１６：少なくとも１つの製品ビジター端末７が該操作インターフェイスプログラムを介して該製品情報ベースを取得できる。該パブリックネットワークプラットフォーム６が該製品情報ベースを有するとき、該製品情報ベースはさらに少なくとも１つの製品ビジター端末７により読み取ることができる。そのうち、該製品ビジター端末７のコンピューター設備には該操作インターフェイスプログラム５がインストールされており、製品ビジター端末７は該操作インターフェイスプログラム５を通じて該製品情報ベースを読み取ることができる。そのうち、該製品ビジター端末７はビジターキー７１を介して該製品情報ベースを読取り、該ビジターキー７１はデータ読取りモジュールであり、ビジターキー７１はデータ読取りの権限しかない。製品ビジターは該製品情報ベースから該ハードウェア設備の製品情報と製品使用情報を知ることができ、かつ製品情報と製品使用情報は該第１時間情報と第２時間情報を含み、製品ビジターは該ハードウェア製品２１の製品履歴をはっきりと知ることができる。かつその製品情報ベースは分散化された分散式演算及び認証、データの一方的な変更不可という特性で、製品情報ベース内のデータは評価しやすく、公正性を備えており、製品製造者、製品ユーザー、製品ビジターが正確なデータを明確に知ることができ、消費に関連する係争の発生を回避することができる。
【００２３】
工程Ｓ１７：別の製品ユーザー端末４が該操作インターフェイスプログラムを通じてパブリックネットワークプラットフォームで該製品情報ベースを取得し、かつ製品ユーザーが該ハードウェア製品を使用し、該操作インターフェイスプログラムを介して製品使用情報と該製品情報の第１時間情報を生成し、該パブリックネットワークプラットフォームに送信する。また、そのうち、該製品ビジター端末７が該製品情報ベースを読取り、かつ該ハードウェア製品２１を購入して使用した場合、その後該製品ビジターは製品ユーザーとなり、該製品ユーザー端末４は該ユーザーキー４１と該操作インターフェイスプログラム５を通じて製品使用情報を生成することができる。そのうち、該製品使用情報は、製品使用状況、製品修理状況等の関連製品使用情報を含むことができ、かつ製品使用情報を書き込む方法は該ハードウェア製品２１原有の製品使用情報に新しい製品使用情報を追加するもので、原有の製品使用情報と製品情報を変更することはできない。また該製品ユーザー端末４が該新しい製品使用情報を書き込むと、該操作インターフェイスプログラム５が同時に該製品情報を有線、無線または光学方式で該情報保存ユニットに伝送する。かつ情報保存ユニットに伝送する前に先に該情報認証ユニット２１２の認証を経る必要があり、認証を経た後該製品使用情報を該情報保存ユニットに伝送することができる。また、該ハードウェア製品２１が製品製造者による修理を経た場合、該製品製造者端末２は該製造者キー２２と該操作インターフェイスプログラム５を介して製品情報を生成することができる。その製品情報を書き込む方法は該ハードウェア製品２１原有の製品情報のほかに新しい製品情報を加えて書き込み、またそのうち製品情報と製品使用情報は同時に該第１時間情報と第２時間情報を備え、その書き込み変更の時間点をはっきりと表示する。その第１時間情報と第２時間情報はＧＰＳまたはＮＴＰサーバーにより生成されるため、第１時間情報と第２時間情報の時間点は明確かつ正確である。該データノード３は該操作インターフェイスプログラム５を介して該パブリックネットワークプラットフォーム６上の製品情報ベース及び製品使用情報を取得でき、取得した製品情報と製品使用情報を検証し、誤りがないことが検証された製品情報ベースと製品使用情報を同一の製品情報ベースに変換して、操作インターフェイスプログラム５により該パブリックネットワークプラットフォーム６と情報保存ユニットに保存し、パブリックネットワークプラットフォーム６の製品情報ベースを評価しやすくするとともに、分散化された分散式演算及び認証、データの一方的な変更不可という特性を通じ、ハードウェア製品２１の公平な評価を可能にする。同様に類推し、該ハードウェア製品２１が再び別の製品ユーザーにより購入されて使用された後、書き込まれた製品使用情報は元の製品使用情報を継続して更新し、かつ第３時間情報を組み合わせて表される。または、製品製造者による修理が行われた場合、その製品情報も同時に元の製品情報を継続して更新し、かつ第４時間情報を組み合わせて表示される。データノード３は、該ハードウェア製品２１が廃止されるまで、新しい製品情報と製品使用情報を継続して取得し、検証して製品情報ベースに変換する。新しい製品情報と製品使用情報が継続して増加すると、その時間情報もＧＰＳまたはＮＴＰサーバーに伴って生成される。また、そのうち該製品情報及び製品使用情報の検証方法はブロックチェーン技術を用いるが、これに限らない。これにより、分散化された分散式演算及び認証、データの一方的な変更不可という特性を通じ、パブリックネットワークプラットフォームの製品情報ベースに信頼性と公平性を具備させ、一般的な売買の自由な心証による取引形態と比較して、検証済みの製品情報ベースは実際の製品価値により合致しており、製品取引において取引者に公平な評価基準を提供することができる。
【００２４】
以上は本発明の最良の実施例を挙げたものであり、本発明を限定するものではなく、形状や配置形態の変更や、各種の変化、修飾、応用が生じる同等効果の作用など、本発明の構想に基づいた変更が本発明の要旨の範囲を逸脱しない場合、本発明の権利範囲内に含まれる。
【符号の説明】
【００２５】
１        分散化情報構築システム
２        製品製造者端末
２１      ハードウェア製品
２１１    情報保存ユニット
２１２    情報認証ユニット
２２      製造者キー
３        データノード
４        製品ユーザー端末
４１      ユーザーキー
５        操作インターフェイスプログラム
６        パブリックネットワークプラットフォーム
７        製品ビジター端末
７１      ビジターキー
Ｓ１１〜工程Ｓ１７    工程
【図１】
2019160269.tif 000003
【図２】
2019160269.tif 000004
【図３】
2019160269.tif 000005
【図４】
2019160269.tif 000006